(57)【要約】【課題】耐風性を向上させることができ、目的の場所に容易に移動させることができる空中撮影装置を提供する。【解決手段】空中撮像装置１０は、気球１１と、気球１１に取り付けられたラジコンヘリコプター１２と、ラジコンにより操作される撮像機器１３とを備えている。気球１１は、回転楕円体形に形成されており、内部にはヘリウムガスが充填されている。気球１１の長軸方向の長さＬ１に対する短軸方向の長さＬ２の比Ｌ２／Ｌ１は、０．５５以上０．６５以下の範囲内とされている。【選択図】図１
0003204086.tif 000002
【実用新案登録請求の範囲】
【請求項１】
回転楕円体形に形成され、長軸方向の長さに対する短軸方向の長さの比が０．５５以上０．６５以下の範囲内である気球と、
この気球に取り付けられ、電池を内蔵するラジコンヘリコプターと、
このラジコンヘリコプターに取り付けられ、前記ラジコンヘリコプターに内蔵された電池から電力が供給されて駆動し、ラジコンにより操作される撮像機器と、
前記気球を地上に繋留する繋留索と
を備え、
前記気球には、長軸方向を水平、短軸方向を垂直とした下側に、吊索の一端が取り付けられ、前記吊索の他端は、前記ラジコンヘリコプターに取り付けられた
ことを特徴とする空中撮影装置。
【考案の詳細な説明】
【技術分野】
【０００１】
本考案は、気球を利用して上空から目的の場所を撮影することのできる空中撮影装置に関する。
【背景技術】
【０００２】
従来、空撮写真は、例えば、セスナ機に依存してきたが、コストが高いために、すぐに欲しい画像を入手することは難しかった。また、ラジコンヘリコプターによる空撮も利用されているが、操縦に熟練が必要で、墜落の危険性がある。これに対して、ヘリウムガスを用いた気球による空撮は、撮影の自由度が高く、低コストでリアルタイムに画像を入手することができ、万一落下しても事故の可能性が低いことから、一般に利用されている。この気球を利用した空中撮影装置は、気球にカメラを取り付けて、空中に浮上させ、目的の場所を撮影することができるようにしたものであり、気球の形状としては、例えば、球形状や一方向に伸長させた形状が用いられている（例えば、特許文献１参照）。
【先行技術文献】
【特許文献】
【０００３】
【特許文献１】特開２００３−４３５６９号公報
【考案の概要】
【考案が解決しようとする課題】
【０００４】
しかしながら、上空は風が吹いていることが多いので、気球を球形状とした場合には、風に流されやすく、少し強い風が吹いていると撮影ができないという問題があった。また、気球を一方向に伸長させた形状とした場合には、伸長方向の風には強いが、横方向に風には弱いので、少し強い風が吹いていると、目的の場所に移動させることが難しくなり、目的の撮影ができないという問題があった。
【０００５】
本考案は、このような問題に基づきなされたものであり、耐風性を向上させることができ、目的の場所に容易に移動させることができる空中撮影装置を提供することを目的とする。
【課題を解決するための手段】
【０００６】
本考案の空中撮影装置は、回転楕円体形に形成され、長軸方向の長さに対する短軸方向の長さの比が０．５５以上０．６５以下の範囲内である気球と、この気球に取り付けられたラジコンヘリコプターと、このラジコンヘリコプターに取り付けられ、ラジコンにより操作される撮像機器と、気球を地上に繋留する繋留索とを備えたものである。
【考案の効果】
【０００７】
本考案の空中撮影装置によれば、気球を回転楕円体形とし、長軸方向の長さに対する短軸方向の長さの比を０．５５以上０．６５以下とするようにしたので、全ての方向における耐風性を向上させることができる。また、気球にラジコンヘリコプターを取り付けているので、空撮時に容易に希望の場所に移動させることができる。更に、気球とラジコンヘリコプターとを用いるようにしたので、ラジコンヘリコプターの電池が切れても、気球により緩やかに下降させることができる。
【図面の簡単な説明】
【０００８】
【図１】本考案の一実施の形態に係る空中撮影装置の構成を表す図である。
【考案を実施するための形態】
【０００９】
以下、本考案の実施の形態について、図面を参照して詳細に説明する。
【００１０】
図１は、本考案の一実施の形態に係る空中撮像装置１０の構成を表わすものである。この空中撮像装置１０は、例えば、気球１１と、この気球１１に取り付けられたラジコンヘリコプター１２と、撮像機器１３とを備えている。
【００１１】
気球１１は、回転楕円体形に形成されており、内部にはヘリウムガスが充填されている。気球１１の長軸方向の長さＬ１に対する短軸方向の長さＬ２の比Ｌ２／Ｌ１は、０．５５以上０．６５以下の範囲内とされており、０．５８以上０．６２以下の範囲内であればより好ましい。長軸方向の長さＬ１に対する短軸方向の長さＬ２の比Ｌ２／Ｌ１が０．６５よりも大きいと、球体に近くなるので風が上下に分かれ難くなり、風の抵抗を受けやすく、耐風性が低下してしまうからである。また、長軸方向の長さＬ１に対する短軸方向の長さＬ２の比Ｌ２／Ｌ１が０．５５よりも小さいと、厚みが薄くなり、浮力が低下してしまうからである。このような構成により、従来の気球では、風速２ｍ程度までしか空撮ができなかったのに対して、風速４ｍ程度まで空撮可能となっている。
【００１２】
気球１１には、長軸方向を水平、短軸方向を垂直とした下側に、例えば、１又は複数のリング状の係止具１４が配設されている。この係止具１４には、例えば、吊索１５の一端が取り付けられ、吊索１５の他端は、ラジコンヘリコプター１２に取り付けられている。これにより、気球１１とラジコンヘリコプター１２とは吊索１５により連結され、気球１１は、長軸方向を水平、短軸方向を垂直として空中に浮上するようになっている。吊索１５は、例えば、ワイヤーをチューブで覆った構成とすることが好ましく、チューブはビニール製のものが好ましい。揺れに強くなり、ジャイロ的な役目を果たすことができるからである。
【００１３】
ラジコンヘリコプター１２は、空撮時に自由に気球１１及び撮像機器１３を希望の場所に移動させるためのものである。ラジコンヘリコプター１２は、例えば、電池を内蔵し、電池により駆動するように構成されている。また、ラジコンヘリコプター１２は、無線により操縦できるように構成されている。
【００１４】
撮像機器１３は、ラジコンヘリコプター１２に取り付けられており、ラジコンにより、すなわち無線により操作できるように構成されている。撮像機器１３としては、例えば、カメラやビデオが挙げられ、ラジコンヘリコプター１２に内蔵された電池から電力が供給されて駆動するように構成されている。このようにラジコンヘリコプター１２と撮像機器１３との電源を共通とすることにより、軽量化が図られている。
【００１５】
また、この空中撮像装置１０は、気球１１を地上に繋留する繋留索１６を備えている。繋留索１６の一端は、例えば、ラジコンヘリコプター１２又は撮像機器１３に取り付けられており、繋留索１６の他端は、リールなどよりなる巻き取りドラム１７に巻き取られている。これにより、繋留索１６を巻き戻せば気球１１は上昇し、逆に、繋留索１６を巻き取れば気球１１は下降するようになっている。また、ラジコンヘリコプター１２に繋留索１６を取り付けているので、ラジコンヘリコプター１２を移動させることにより、繋留索１６を撮像機器１３の撮像範囲外に流し、繋留索１６が映像に映り込まないようにすることができるようになっている。
【００１６】
この空中撮像装置１０は、例えば、次のようにして用いることができる。まず、例えば、気球１１内部にヘリウムガスを充填し、気球１１を空中に浮上させる。次いで、繋留索１６を巻き戻し、気球１１を上昇させ、ラジコンヘリコプター１２を無線により操縦して、目的とする希望の場所に気球１１及び撮像機器１３を移動させる。このように、この空中撮像装置１０では、ラジコンヘリコプター１２を用いているので、希望の場所に容易に移動させることができる。また、この空中撮像装置１０では、気球１１の形状を回転楕円体形とし、かつ、長軸方向の長さＬ１に対する短軸方向の長さＬ２の比Ｌ２／Ｌ１を所定の範囲内としているので、風速４ｍ程度の風が吹いていても、気球１１を浮上させて移動させることができる。
【００１７】
続いて、ラジコンにより撮像機器１３を操作して撮像する。その際、ラジコンヘリコプター１２を操縦して、繋留索１６が撮像機器１３の撮像範囲内に入らない位置となるように調整することが好ましい。撮像が終了したら、ラジコンヘリコプター１２を無線により操縦して、操縦者の近くまで戻す。そののち、繋留索１６を巻き取り、気球１１を下降させる。なお、この空中撮像装置１０では、気球１１とラジコンヘリコプター１２とを用いているので、ラジコンヘリコプター１２の電池が切れたり、操縦を誤っても、気球１１により緩やかに下降させることができる。
【００１８】
このように本実施の形態によれば、気球１１を回転楕円体形とし、長軸方向の長さＬ１に対する短軸方向の長さＬ２の比Ｌ２／Ｌ１を０．５５以上０．６５以下とするようにしたので、全ての方向における耐風性を向上させることができる。また、気球１１にラジコンヘリコプター１２を取り付けているので、空撮時に容易に希望の場所に移動させることができる。更に、気球１１とラジコンヘリコプター１２とを用いるようにしたので、ラジコンヘリコプター１２の電池が切れても、気球１１により緩やかに下降させることができる。
【００１９】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。また、各構成要素は、他の構成を備えていてもよい。
【産業上の利用可能性】
【００２０】
空撮に用いることができる。
【符号の説明】
【００２１】
１０…空中撮像装置、１１…気球、１２…ラジコンヘリコプター、１３…撮像装置、１４…係止具、１５…吊索、１６…繋留索、１７…巻き取りドラム
【図１】
0003204086.tif 000003